(57)【特許請求の範囲】
【請求項１】
無菌環境を維持した作業室の外部から当該作業室の内部で作業するために、前記作業室の壁面に開口した作業用開口部に設けられたグローブポートから、当該作業室の内部に向けて気密性を保持して取り付けられた作業用グローブに対して、
前記作業室内を除染する際に、同時に前記作業用グローブの作業室内側表面を隈なく除染するために使用されるグローブ除染用支持具であって、
前記作業用グローブの上腕部が取り付けられた前記グローブポートの開口部を介して、前記作業用グローブの腕部内部に前記作業室の外部から当該腕部の上腕部より手首部に向けて挿入されることにより、前記腕部を拡げて支持する腕部支持部材と、
前記腕部支持部材の一方の端部と接合されると共に、前記グローブポートの開口部の内周縁部に当接して固定されることにより、前記腕部支持部材の位置を安定的に保持する固定部材と、
前記腕部支持部材の他方の端部と接合されると共に、前記作業用グローブの掌部と各指部とを互いに接触することなく拡げて支持する指掌部支持部材とを備え、
前記指掌部支持部材は、前記作業用グローブの掌部内部と腕部内部との間の手首部に隔壁を形成する隔壁部材であって、
前記腕部支持部材を前記作業用グローブの腕部内部に挿入する途中段階において、前記隔壁部材の外周縁部が前記作業用グローブの腕部の内周部に当接し、更に挿入が進むにつれて当該隔壁部材の外周縁部が前記作業用グローブの腕部内部を手首部まで気密的に摺動することにより、
前記作業用グローブの掌部内部側と前記隔壁部材との間に封じ込められた空気が圧縮されて、前記作業用グローブの掌部及び各指部が膨張して互いに接触することなく拡がることを特徴とするグローブ除染用支持具。
【請求項２】
前記隔壁部材は、円盤状の隔壁盤からなり、その盤面を前記腕部支持部材の挿入方向に向けるようにして当該腕部支持部材と接合されており、
前記腕部支持部材を前記作業用グローブの腕部内部に挿入する途中段階において、前記隔壁盤の外周縁部が前記作業用グローブの腕部の内周部に当接し、更に挿入が進むにつれて当該隔壁盤の外周縁部が前記作業用グローブの腕部内部を手首部まで気密的に摺動することにより、
前記作業用グローブの掌部内部側と前記隔壁盤との間に封じ込められた空気が圧縮されて、前記作業用グローブの掌部及び各指部が膨張して互いに接触することなく拡がることを特徴とする請求項１に記載のグローブ除染用支持具。
【請求項３】
前記隔壁部材は、球状又は半球状の隔壁球からなり、その球状面を前記支持部材の挿入方向に向けるようにして当該腕部支持部材と接合されており、
前記腕部支持部材を前記作業用グローブの腕部内部に挿入する途中段階において、前記隔壁球の外周縁部が前記作業用グローブの腕部の内周部に当接し、更に挿入が進むにつれて当該隔壁球の外周縁部が前記作業用グローブの腕部内部を手首部まで気密的に摺動することにより、
前記作業用グローブの掌部内部側と前記隔壁球との間に封じ込められた空気が圧縮されて、前記作業用グローブの掌部及び各指部が膨張して互いに接触することなく拡がることを特徴とする請求項１に記載のグローブ除染用支持具。
【請求項４】
前記隔壁部材は、前記隔壁盤又は前記隔壁球の外周縁部に沿って当該外周縁部から法線方向外側に向かって延出する可撓性材料からなる外縁シールを具備し、
前記腕部支持部材を前記作業用グローブの腕部内部に挿入する途中段階において、前記前記外縁シールが前記作業用グローブの腕部の内周部に当接し、更に挿入が進むにつれて当該外縁シールが前記作業用グローブの腕部内部を手首部まで気密的に摺動することにより、
前記作業用グローブの掌部内部側と前記隔壁盤又は前記隔壁球との間に封じ込められた空気が圧縮されて、前記作業用グローブの掌部及び各指部が膨張して互いに接触することなく拡がることを特徴とする請求項２又は３に記載のグローブ除染用支持具。
【請求項５】
無菌環境を維持した作業室の外部から当該作業室の内部で作業するために、前記作業室の壁面に開口した作業用開口部に設けられたグローブポートから、当該作業室の内部に向けて気密性を保持して取り付けられた作業用グローブに対して、
前記作業室内を除染する際に、同時に前記作業用グローブの作業室内側表面を隈なく除染するために使用されるグローブ除染用支持具であって、
前記作業用グローブの上腕部が取り付けられた前記グローブポートの開口部を介して、前記作業用グローブの腕部内部に前記作業室の外部から当該腕部の上腕部より手首部に向けて挿入されることにより、前記腕部を拡げて支持する腕部支持部材と、
前記腕部支持部材の一方の端部と接合されると共に、前記グローブポートの開口部の内周縁部に当接して固定されることにより、前記腕部支持部材の位置を安定的に保持する固定部材と、
前記腕部支持部材の他方の端部と接合されると共に、前記作業用グローブの掌部と各指部とを互いに接触することなく拡げて支持する指掌部支持部材とを備え、
前記指掌部支持部材は、前記作業用グローブの掌部内部に挿入され、当該掌部を拡げた状態に保持する掌部拡開部材であって、
前記腕部支持部材は、両端部を前記固定部材と接合されたＵ字形状の線材からなり、そのＵ字屈曲部を前記作業用グローブの腕部内部に挿入されると共に、当該Ｕ字屈曲部の先端部位が前記掌部拡開部材を構成して、
前記腕部支持部材を前記作業用グローブの腕部内部に挿入して当該腕部を拡げて支持すると共に、前記掌部拡開部材を前記作業用グローブの掌部内部に挿入して当該掌部を拡げて支持することにより、
前記作業用グローブの掌部に接続する各指部の付根が前記掌部拡開部材により拡げられた掌部に支持された状態となり、前記作業用グローブの掌部及び各指部が互いに接触することなく拡がることを特徴とするグローブ除染用支持具。
【請求項６】
前記腕部支持部材は、棒状の１本又は２本以上の線材からなり、
前記線材の一方の端部を前記グローブポートの開口部に固定される前記固定部材と接合され、
前記線材の他方の端部を前記隔壁部材又は前記掌部拡開部材と接合された状態で前記作業用グローブの腕部内部に挿入され、
前記線材の両端部の間の前記作業用グローブの腕部に対応する位置に当該線材に略垂直な方向に延出するように設けられた腕部拡張部材を少なくとも１つ具備することを特徴とする請求項１〜４のいずれか１つに記載のグローブ除染用支持具。
【請求項７】
前記固定部材は、一部に切欠部を有するリング状に形成されたバネ部と、当該切欠部の両端部からリングの径内側に向かって設けられた１対の摘み部とを具備し、
前記リング状のバネ部の外周径が前記グローブポートの開口部の内周径よりも大きく、
前記摘み部を挟持して前記バネ部のリング径を圧縮して前記グローブポートの開口部に挿嵌した後に、前記摘み部を開放することにより前記バネ部が元のリング径に復元しようとして、当該バネ部が前記グローブポートの開口部の内周縁部を法線方向外側に向けて押圧して前記固定部材が前記腕部支持部材の位置を安定的に保持することを特徴とする請求項１〜６のいずれか１つに記載のグローブ除染用支持具。
【請求項８】
前記作業用グローブの作業室内側表面の一部が、
当該作業室内の壁面、当該作業室内に設置された内部機器の表面、及び／又は、当該作業用グローブと並行、対向若しくは交差するように設けられた他の作業用グローブの作業室内側表面と接触することのない位置に当該作業用グローブの各部位を配置するために、
前記腕部支持部材は、任意の形状に屈曲可能で、且つ、その屈曲状態を保持することができることを特徴とする請求項１〜７のいずれか１つに記載のグローブ除染用支持具。
【請求項９】
前記腕部支持部材を屈曲させた際に、当該屈曲部位に対応する前記作業用グローブの腕部の屈曲部位に生じる皺を、
前記グローブポートの開口部を介して、前記作業用グローブの腕部内部の屈曲部位に挿入して、当該屈曲部位に生じた皺を拡張して皺を解消するようにした補助拡張部材を配置することを特徴とする請求項８に記載のグローブ除染用支持具。
【請求項１０】
無菌環境を維持した作業室の外部から当該作業室の内部で作業するために、前記作業室の壁面に開口した作業用開口部に設けられたグローブポートから、当該作業室の内部に向けて気密性を保持して取り付けられた作業用グローブに対して、
前記作業室内を除染する際に、同時に前記作業用グローブの作業室内側表面を隈なく除染するために使用されるグローブ除染用支持具であって、
前記作業用グローブの上腕部が取り付けられた前記グローブポートの開口部を介して、前記作業用グローブの腕部内部に前記作業室の外部から当該腕部の上腕部より手首部に向けて挿入されることにより、前記腕部を拡げて支持する腕部支持部材と、
前記腕部支持部材の一方の端部と接合されると共に、前記グローブポートの開口部の内周縁部に当接して固定されることにより、前記腕部支持部材の位置を安定的に保持する固定部材と、
前記腕部支持部材の他方の端部と接合されると共に、前記作業用グローブの掌部と各指部とを互いに接触することなく拡げて支持する指掌部支持部材とを備え、
前記固定部材は、一部に切欠部を有するリング状に形成されたバネ部と、当該切欠部の両端部からリングの径内側に向かって設けられた１対の摘み部とを具備し、
前記リング状のバネ部の外周径が前記グローブポートの開口部の内周径よりも大きく、
前記摘み部を挟持して前記バネ部のリング径を圧縮して前記グローブポートの開口部に挿嵌した後に、前記摘み部を開放することにより前記バネ部が元のリング径に復元しようとして、当該バネ部が前記グローブポートの開口部の内周縁部を法線方向外側に向けて押圧して前記固定部材が前記腕部支持部材の位置を安定的に保持することを特徴とするグローブ除染用支持具。
【請求項１１】
前記指掌部支持部材は、前記作業用グローブの掌部内部に挿入され、当該掌部を拡げた状態に保持する掌部拡開部材であって、
前記腕部支持部材を前記作業用グローブの腕部内部に挿入して当該腕部を拡げて支持すると共に、前記掌部拡開部材を前記作業用グローブの掌部内部に挿入して当該掌部を拡げて支持することにより、
前記作業用グローブの掌部に接続する各指部の付根が前記掌部拡開部材により拡げられた掌部に支持された状態となり、前記作業用グローブの掌部及び各指部が互いに接触することなく拡がることを特徴とする請求項１０に記載のグローブ除染用支持具。
【請求項１２】
無菌環境を維持した作業室の外部から当該作業室の内部で作業するために、前記作業室の壁面に開口した作業用開口部に設けられたグローブポートから、当該作業室の内部に向けて気密性を保持して取り付けられた作業用グローブに対して、
前記作業室内を除染する際に、同時に前記作業用グローブの作業室内側表面を隈なく除染するために使用されるグローブ除染用支持具であって、
前記作業用グローブの上腕部が取り付けられた前記グローブポートの開口部を介して、前記作業用グローブの腕部内部に前記作業室の外部から当該腕部の上腕部より手首部に向けて挿入されることにより、前記腕部を拡げて支持する腕部支持部材と、
前記腕部支持部材の一方の端部と接合されると共に、前記グローブポートの開口部の内周縁部に当接して固定されることにより、前記腕部支持部材の位置を安定的に保持する固定部材と、
前記腕部支持部材の他方の端部と接合されると共に、前記作業用グローブの掌部と各指部とを互いに接触することなく拡げて支持する指掌部支持部材とを備え、
前記作業用グローブの作業室内側表面の一部が、
当該作業室内の壁面、当該作業室内に設置された内部機器の表面、及び／又は、当該作業用グローブと並行、対向若しくは交差するように設けられた他の作業用グローブの作業室内側表面と接触することのない位置に当該作業用グローブの各部位を配置するために、
前記腕部支持部材は、任意の形状に屈曲可能で、且つ、その屈曲状態を保持することができることを特徴とするグローブ除染用支持具。
【請求項１３】
前記指掌部支持部材は、前記作業用グローブの掌部内部に挿入され、当該掌部を拡げた状態に保持する掌部拡開部材であって、
前記腕部支持部材を前記作業用グローブの腕部内部に挿入して当該腕部を拡げて支持すると共に、前記掌部拡開部材を前記作業用グローブの掌部内部に挿入して当該掌部を拡げて支持することにより、
前記作業用グローブの掌部に接続する各指部の付根が前記掌部拡開部材により拡げられた掌部に支持された状態となり、前記作業用グローブの掌部及び各指部が互いに接触することなく拡がることを特徴とする請求項１２に記載のグローブ除染用支持具。
【請求項１４】
前記腕部支持部材を屈曲させた際に、当該屈曲部位に対応する前記作業用グローブの腕部の屈曲部位に生じる皺を、
前記グローブポートの開口部を介して、前記作業用グローブの腕部内部の屈曲部位に挿入して、当該屈曲部位に生じた皺を拡張して皺を解消するようにした補助拡張部材を配置することを特徴とする請求項１３に記載のグローブ除染用支持具。
【発明の詳細な説明】
【技術分野】
【０００１】
本発明は、アイソレーター装置又はグローブボックスの壁面から内部に向けて設置された作業用グローブの表面を除染するためのグローブ除染用支持具に関するものである。更に詳しくは、可撓性を有する作業用グローブにおいて指間部位などの接触しやすい部分を含め表面全域を隈なく適正に除染するために使用するグローブ除染用支持具に関するものである。
【背景技術】
【０００２】
清浄な雰囲気で行われる作業、例えば、医薬品の製造段階の作業においては、外部環境から細菌や汚染物質が入り込まないように内部を無菌・無塵状態に保った清浄な作業環境で作業が行われる。かかる作業を行う作業環境が小規模な場合には、外部環境から密閉された作業室（以下「チャンバー」ともいう。）を使用し、作業者がこのチャンバーの外部から作業用グローブなどを介して作業をすることのできるアイソレーター装置又はグローブボックス（以下、統一して「アイソレーター装置」という。）が利用される。アイソレーター装置のチャンバーは、作業者が作業を行う外部環境とは気密的に遮蔽されており、また、外部の空気をフィルタで清浄化してチャンバー内に供給すると共にチャンバー内の空気をフィルタで清浄化して外部に排気する。
【０００３】
また、アイソレーター装置のチャンバーは、一般にステンレス製の箱体からなり、その一部の壁部を透明なガラスパネル或いは透明アクリル製パネルとする。そして、この透明壁部に円形の貫通口を形成し、この貫通口に円筒部を備えた取付枠（以下「グローブポート」ともいう。）を取り付けてこのグローブポートの円筒部をチャンバー内に突出させる。この円筒部に合成樹脂製などの作業用グローブを装着して、この作業用グローブの先端をチャンバー内に挿入するようにする。アイソレーター装置による作業では、作業者は、チャンバーの外部から透明壁部を通してチャンバー内を視認しながら作業用グローブを介してチャンバー内で作業を行うようにする。
【０００４】
このようなアイソレーター装置においては、チャンバー内での作業の前にチャンバー内を除染して無菌状態を確保することが必要である。医薬品などを製造するアイソレーター装置のチャンバー内の除染においては、ＧＭＰ（Ｇｏｏｄ Ｍａｎｕｆａｃｔｕｒｉｎｇ Ｐｒａｃｔｉｃｅ）に即した高度な除染バリデーションを完了させる必要がある。一般に、アイソレーター装置のチャンバー内における無菌状態の確保には、除染用の過酸化水素ガスなどが採用されている。この過酸化水素ガスは、強力な滅菌効果を有し、安価で入手しやすく、且つ、最終的には酸素と水に分解する環境に優しい除染用ガスとして有効である。
【０００５】
また、チャンバー内には、上述のように、グローブポートに取り付けられた作業用グローブや各種作業用機器などが設置されている。このような作業用グローブや各種作業用機器の表面についても同時に高度な除染バリデーションを完了させる必要がある。
【０００６】
しかし、アイソレーター装置に取り付けられる作業用グローブは、合成樹脂製などの可撓性材料で構成されている。このように作業用グローブは、チャンバー内での作業性の観点から腕部、掌部及び各指部が柔軟であり、折れ曲がったり、皺になったりして、除染用の過酸化水素ガスが表面に十分に接触できない部分が発生することがある。このようになると、チャンバー内全体の高度な除染バリデーションを完了させることができないという問題があった。
【０００７】
そこで、下記特許文献１においては、チャンバー内の作業用グローブの表面に生じる過酸化水素ガスの凝縮膜を検知して、除染が確実になされていることを確認する方法が提案されている。この除染方法においては、作業用グローブが下方に折れ曲がらないように水平状態に支持するためのグローブ支持具（下記特許文献１の図１参照）が使用されている。
【先行技術文献】
【特許文献】
【０００８】
【特許文献１】特開２００７−２９５３７号公報
【発明の概要】
【発明が解決しようとする課題】
【０００９】
ところで、上記特許文献１に提案されている作業用グローブの除染方法は、作業用グローブの表面に過酸化水素ガスの凝縮膜が生じることを検知するものである。従って、作業用グローブが適正に除染されたか否かを確認するための方法であって、表面全域を隈なく適正に除染するために具体的な作用をなすものではない。また、使用するグローブ支持具は、柔軟な作業用グローブの腕部を水平に支持するために使用され、掌部及び各指部が互いに接触して過酸化水素ガスが接触できない部分が生じることを積極的に解消するものではない。更に、作業用グローブの腕部を水平に支持した際に、作業用グローブがチャンバー内の作業用機器の表面に接触した場合には、その部分の除染が不十分になることがある。
【００１０】
そこで、本発明は、上記の諸問題に対処して、アイソレーター装置のチャンバー内を除染する際に、チャンバー内に設置された作業用グローブを支持して、その腕部、掌部及び各指部などの接触しやすい部分を拡げて、除染用ガスが作業用グローブの表面全域を隈なく適正に除染することのできるグローブ除染用支持具を提供することを目的とする。
【課題を解決するための手段】
【００１１】
上記課題の解決にあたり、本発明者らは、鋭意研究の結果、従来のグローブ除染用支持具に掌部や各指部を拡げるための特定の形状を備えた補助具を加えることにより、本発明の目的を達成できることを見出して本発明の完成に至った。
【００１２】
即ち、本発明に係るグローブ除染用支持具は、請求項１の記載によれば、
無菌環境を維持した作業室（１２）の外部から当該作業室の内部で作業するために、前記作業室の壁面に開口した作業用開口部（１５）に設けられたグローブポート（３０）から、当該作業室の内部に向けて気密性を保持して取り付けられた作業用グローブ（２０）に対して、
前記作業室内を除染する際に、同時に前記作業用グローブの作業室内側表面を隈なく除染するために使用されるグローブ除染用支持具（５０、６０、７０、８０、９０、１００）であって、
前記作業用グローブの上腕部（２１）が取り付けられた前記グローブポートの開口部（３１）を介して、前記作業用グローブの腕部（２２）内部に前記作業室の外部から当該腕部の上腕部より手首部（２３）に向けて挿入されることにより、前記腕部を拡げて支持する腕部支持部材（５１、６１、７１、８１、９１、１０１）と、
前記腕部支持部材の一方の端部と接合されると共に、前記グローブポートの開口部の内周縁部に当接して固定されることにより、前記腕部支持部材の位置を安定的に保持する固定部材（５２、６２、７２、８２、９２、１０２）と、
前記腕部支持部材の他方の端部と接合されると共に、前記作業用グローブの掌部と各指部とを互いに接触することなく拡げて支持する指掌部支持部材（５４、６４、７４、８４、９４、１０４）とを備え、
前記指掌部支持部材は、前記作業用グローブの掌部内部と腕部内部との間の手首部に隔壁を形成する隔壁部材（５４、６４、７４、８４）であって、
前記腕部支持部材を前記作業用グローブの腕部内部に挿入する途中段階において、前記隔壁部材の外周縁部が前記作業用グローブの腕部の内周部に当接し、更に挿入が進むにつれて当該隔壁部材の外周縁部（５４ａ、６４ａ、７４ａ、８４ａ）が前記作業用グローブの腕部内部を手首部まで気密的に摺動することにより、
前記作業用グローブの掌部内部側と前記隔壁部材との間に封じ込められた空気が圧縮されて、前記作業用グローブの掌部及び各指部が膨張して互いに接触することなく拡がることを特徴とするグローブ除染用支持具。
【００１４】
また、本発明は、請求項２の記載によれば、請求項１に記載のグローブ除染用支持具であって、
前記隔壁部材は、円盤状の隔壁盤（５４）からなり、その盤面を前記腕部支持部材の挿入方向に向けるようにして当該腕部支持部材と接合されており、
前記腕部支持部材（５１）を前記作業用グローブの腕部内部に挿入する途中段階において、前記隔壁盤の外周縁部（５４ａ）が前記作業用グローブの腕部の内周部に当接し、更に挿入が進むにつれて当該隔壁盤の外周縁部が前記作業用グローブの腕部内部を手首部まで気密的に摺動することにより、
前記作業用グローブの掌部内部側と前記隔壁盤との間に封じ込められた空気が圧縮されて、前記作業用グローブの掌部及び各指部が膨張して互いに接触することなく拡がることを特徴とする。
【００１５】
また、本発明は、請求項３の記載によれば、請求項１に記載のグローブ除染用支持具であって、
前記隔壁部材は、球状又は半球状の隔壁球（６４、７４）からなり、その球状面を前記支持部材の挿入方向に向けるようにして当該腕部支持部材と接合されており、
前記腕部支持部材（６１、７１）を前記作業用グローブの腕部内部に挿入する途中段階において、前記隔壁球の外周縁部（６４ａ、７４ａ）が前記作業用グローブの腕部の内周部に当接し、更に挿入が進むにつれて当該隔壁球の外周縁部が前記作業用グローブの腕部内部を手首部まで気密的に摺動することにより、
前記作業用グローブの掌部内部側と前記隔壁球との間に封じ込められた空気が圧縮されて、前記作業用グローブの掌部及び各指部が膨張して互いに接触することなく拡がることを特徴とする。
【００１６】
また、本発明は、請求項４の記載によれば、請求項２又は３に記載のグローブ除染用支持具であって、
前記隔壁部材は、前記隔壁盤（８４）又は前記隔壁球（６４、７４）の外周縁部に沿って当該外周縁部から法線方向外側に向かって延出する可撓性材料からなる外縁シール（８４ｂ）を具備し、
前記腕部支持部材を前記作業用グローブの腕部内部に挿入する途中段階において、前記前記外縁シールが前記作業用グローブの腕部の内周部に当接し、更に挿入が進むにつれて当該外縁シールが前記作業用グローブの腕部内部を手首部まで気密的に摺動することにより、
前記作業用グローブの掌部内部側と前記隔壁盤又は前記隔壁球との間に封じ込められた空気が圧縮されて、前記作業用グローブの掌部及び各指部が膨張して互いに接触することなく拡がることを特徴とする。
【００１７】
また、本発明に係るグローブ除染用支持具は、請求項５の記載によれば、
無菌環境を維持した作業室の外部から当該作業室の内部で作業するために、前記作業室の壁面に開口した作業用開口部に設けられたグローブポートから、当該作業室の内部に向けて気密性を保持して取り付けられた作業用グローブに対して、
前記作業室内を除染する際に、同時に前記作業用グローブの作業室内側表面を隈なく除染するために使用されるグローブ除染用支持具であって、
前記作業用グローブの上腕部が取り付けられた前記グローブポートの開口部を介して、前記作業用グローブの腕部内部に前記作業室の外部から当該腕部の上腕部より手首部に向けて挿入されることにより、前記腕部を拡げて支持する腕部支持部材と、
前記腕部支持部材の一方の端部と接合されると共に、前記グローブポートの開口部の内周縁部に当接して固定されることにより、前記腕部支持部材の位置を安定的に保持する固定部材と、
前記腕部支持部材の他方の端部と接合されると共に、前記作業用グローブの掌部と各指部とを互いに接触することなく拡げて支持する指掌部支持部材とを備え、
前記指掌部支持部材は、前記作業用グローブの掌部内部に挿入され、当該掌部を拡げた状態に保持する掌部拡開部材（９４，１０４）であって、
前記腕部支持部材は、両端部を前記固定部材と接合されたＵ字形状の線材からなり、そのＵ字屈曲部を前記作業用グローブの腕部内部に挿入されると共に、当該Ｕ字屈曲部の先端部位が前記掌部拡開部材を構成して、
前記腕部支持部材を前記作業用グローブの腕部内部に挿入して当該腕部を拡げて支持すると共に、前記掌部拡開部材を前記作業用グローブの掌部（２４）内部に挿入して当該掌部を拡げて支持することにより、
前記作業用グローブの掌部に接続する各指部（２５）の付根が前記掌部拡開部材により拡げられた掌部に支持された状態となり、前記作業用グローブの掌部及び各指部が互いに接触することなく拡がることを特徴とする。
【００１９】
また、本発明は、請求項６の記載によれば、請求項１〜４のいずれか１つに記載のグローブ除染用支持具であって、
前記腕部支持部材は、棒状の１本又は２本以上の線材からなり、
前記線材の一方の端部を前記グローブポートの開口部に固定される前記固定部材と接合され、
前記線材の他方の端部を前記隔壁部材又は前記掌部拡開部材と接合された状態で前記作業用グローブの腕部内部に挿入され、
前記線材の両端部の間の前記作業用グローブの腕部に対応する位置に当該線材に略垂直な方向に延出するように設けられた腕部拡張部材（５３、６３、７３、８３、９３、１０３）を少なくとも１つ具備することを特徴とする。
【００２０】
また、本発明は、請求項７の記載によれば、請求項１〜６のいずれか１つに記載のグローブ除染用支持具であって、
前記固定部材は、一部に切欠部を有するリング状に形成されたバネ部（５２ａ、６２ａ、７２ａ、８２ａ、９２ａ、１０２ａ）と、当該切欠部の両端部からリングの径内側に向かって設けられた１対の摘み部（５２ｂ、６２ｂ、７２ｂ、８２ｂ、９２ｂ、１０２ｂ）とを具備し、
前記リング状のバネ部の外周径が前記グローブポートの開口部の内周径よりも大きく、
前記摘み部を挟持して前記バネ部のリング径を圧縮して前記グローブポートの開口部に挿嵌した後に、前記摘み部を開放することにより前記バネ部が元のリング径に復元しようとして、当該バネ部が前記グローブポートの開口部の内周縁部を法線方向外側に向けて押圧して前記固定部材が前記腕部支持部材の位置を安定的に保持することを特徴とする。
【００２１】
また、本発明は、請求項８の記載によれば、請求項１〜７のいずれか１つに記載のグローブ除染用支持具であって、
前記作業用グローブの作業室内側表面の一部が、
当該作業室内の壁面、当該作業室内に設置された内部機器の表面、及び／又は、当該作業用グローブと並行、対向若しくは交差するように設けられた他の作業用グローブの作業室内側表面と接触することのない位置に当該作業用グローブの各部位を配置するために、
前記腕部支持部材は、任意の形状に屈曲可能で、且つ、その屈曲状態を保持することができることを特徴とする。
【００２２】
また、本発明は、請求項９の記載によれば、請求項８に記載のグローブ除染用支持具であって、
前記腕部支持部材を屈曲させた際に、当該屈曲部位に対応する前記作業用グローブの腕部の屈曲部位に生じる皺を、
前記グローブポートの開口部を介して、前記作業用グローブの腕部内部の屈曲部位に挿入して、当該屈曲部位に生じた皺を拡張して皺を解消するようにした補助拡張部材（９５）を配置することを特徴とする。
【発明の効果】
【００２３】
上記構成によれば、本発明に係るグローブ除染用支持具は、腕部支持部材と固定部材と指掌部支持部材とを備えている。腕部支持部材は、作業用グローブの腕部内部に作業室の外部から当該腕部の上腕部より手首部に向けて挿入される。このことにより、柔軟な作業用グローブの腕部は水平又は所定の方向に支持される。固定部材は、腕部支持部材の一方の端部を接合した状態でグローブポートの開口部に固定される。このことにより、作業用グローブの腕部が安定的に保持される。指掌部支持部材は、腕部支持部材の他方の端部と接合されて作業用グローブの掌部と各指部とを互いに接触することなく拡げて支持する。
【００２４】
これらのことから、上記構成によるグローブ除染用支持具を使用することにより、チャンバー内に設置された作業用グローブの腕部、掌部及び各指部などの接触しやすい部分が拡げられ、除染用ガスが作業用グローブの表面全域を隈なく適正に除染することができる。
【００２５】
また、上記構成によれば、指掌部支持部材は、作業用グローブの掌部内部と腕部内部との間の手首部に隔壁を形成する隔壁部材であってもよい。この隔壁部材は、腕部支持部材を作業用グローブの腕部内部に挿入する際に、その外周縁部が作業用グローブの腕部の内周部に当接する。このことにより、作業用グローブの掌部が腕部から気密的に隔離される。この状態で、隔壁部材を作業用グローブの手首部まで気密的に摺動させると、作業用グローブの掌部内部側と前記隔壁部材との間に封じ込められた空気が圧縮される。このことにより、作業用グローブの掌部及び各指部が膨張して互いに接触することなく拡がった状態を安定的に維持することができる。このことにより、上記作用効果をより具体的に発揮することができる。
【００２６】
また、上記構成によれば、隔壁部材は、円盤状の隔壁盤からなるものであってもよい。このことにより、隔壁盤の外周縁部が作業用グローブの腕部の内周部に当接した状態で手首部まで気密的に摺動する。このことにより、上記作用効果をより具体的に発揮することができる。
【００２７】
また、上記構成によれば、隔壁部材は、球状又は半球状の隔壁球からなるものであってもよい。このことにより、隔壁球の外周縁部が作業用グローブの腕部の内周部に当接した状態で手首部まで気密的に摺動する。このことにより、上記作用効果をより具体的に発揮することができる。
【００２８】
また、上記構成によれば、隔壁部材は、上記隔壁盤又は隔壁球の外周縁部に沿って当該外周縁部から法線方向外側に向かって延出する外縁シールを具備するものであってもよい。この外縁シールは、可撓性材料からなり隔壁盤又は隔壁球と作業用グローブの腕部の内周部との気密性をより一層向上させる。このことにより、上記外縁シールが作業用グローブの腕部の内周部に当接した状態で手首部まで気密的に摺動する。このことにより、上記作用効果をより一層発揮することができる。
【００２９】
また、上記構成によれば、指掌部支持部材は、作業用グローブの掌部内部に挿入され、当該掌部を拡げた状態に保持する掌部拡開部材であってもよい。この掌部拡開部材は、作業用グローブの掌部内部に挿入されて当該掌部を拡げて支持する。このことにより、作業用グローブの掌部に接続する各指部の付根が掌部拡開部材により拡げられた掌部と共に間隔を広げて固定された状態となり、掌部及び各指部が互いに接触することなく拡がることとなる。このことにより、上記作用効果をより具体的に発揮することができる。
【００３０】
また、上記構成によれば、腕部支持部材は、両端部を固定部材と接合されたＵ字形状の線材からなり、このＵ字屈曲部の先端部位が上記掌部拡開部材を構成するようにしてもよい。このことにより、Ｕ字屈曲部の先端部位が作業用グローブの掌部を拡げて、上記作用効果をより具体的に発揮することができる。
【００３１】
また、上記構成によれば、腕部支持部材は、棒状の１本又は２本以上の線材からなり、この線材の両端部の間の作業用グローブの腕部に対応する位置に、当該線材に略垂直な方向に延出する腕部拡張部材を設けるようにしてもよい。このことにより、作業用グローブの腕部が更に拡げられて、上記作用効果をより一層発揮することができる。
【００３２】
また、上記構成によれば、固定部材は、一部に切欠部を有するリング状のバネ部と、当該切欠部の両端部からリングの径内側に向かって設けられた１対の摘み部とを具備するものであってもよい。リング状のバネ部の外周径は、グローブポートの開口部の内周径よりも大きく、摘み部を挟持してバネ部のリング径を圧縮してグローブポートの開口部に挿嵌する。
【００３３】
ここで摘み部を開放すると、バネ部が元のリング径に復元しようとしてグローブポートの開口部の内周縁部を法線方向外側に向けて押圧する。その結果、固定部材がグローブポートに固定されると共に、固定部材に接合された腕部支持部材を安定的に固定する。このことにより、作業用グローブの腕部が安定的に保持されて、上記作用効果をより具体的に発揮することができる。
【００３４】
また、上記構成によれば、腕部支持部材は、任意の形状に屈曲可能で、且つ、その屈曲状態を保持することができるものであってもよい。作業用グローブの作業室内側表面の一部が作業室内の壁面や作業室内に設置された内部機器の表面に接触すると、表面全域を隈なく適正に除染することができない。また、作業用グローブが複数設置され、互いの表面が接触すると、表面全域を隈なく適正に除染することができない。そこで、腕部支持部材が任意の形状に屈曲可能であれば、作業用グローブの作業室内側表面の一部が他の部材と接触することのない位置に各部位を配置することができる。このことにより、上記作用効果をより一層発揮することができる。
【００３５】
また、上記構成によれば、作業用グローブの屈曲状態を保持する際には、腕部内部に補助拡張部材を配置するようにしてもよい。腕部支持部材を屈曲させた際に、屈曲部位に対応する作業用グローブの腕部の屈曲部位に皺が発生することがある。作業用グローブの腕部に皺が発生すると、表面全域を隈なく適正に除染することができない。そこで、補助拡張部材を作業用グローブの腕部内部の屈曲部位に挿入して配置することにより、腕部に発生した皺を補助拡張部材で解消することができる。このことにより、作業用グローブの表面全域を隈なく適正に除染することができ、上記作用効果をより一層発揮することができる。
【００３６】
このように以上、本発明によれば、アイソレーター装置のチャンバー内を除染する際に、チャンバー内に設置された作業用グローブを支持して、その腕部、掌部及び各指部などの接触しやすい部分を拡げて、除染用ガスが作業用グローブの表面全域を隈なく適正に除染することのできるグローブ除染用支持具を提供することができる。
【図面の簡単な説明】
【００３７】
【図１】作業用グローブを配備したアイソレーター装置の正面の概要図である。
【図２】図１に示すアイソレーター装置の左側面の断面概要図である。
【図３】図１に示すアイソレーター装置のガラス窓に取り付けられたグローブポートに作業用グローブが装着された状態を示す拡大断面図である。
【図４】従来のグローブ除染用支持具をアイソレーター装置の作業用グローブに取り付けた後の状態を側面から見た断面図である。
【図５】本発明の第１実施形態に係るグローブ除染用支持具を示す斜視図である。
【図６】図５のグローブ除染用支持具をアイソレーター装置の作業用グローブに取り付ける前の状態を側面から見た断面図である。
【図７】図５のグローブ除染用支持具をアイソレーター装置の作業用グローブに取り付ける途中の状態を側面から見た断面図である。
【図８】図５のグローブ除染用支持具をアイソレーター装置の作業用グローブに取り付けた後の状態を側面から見た断面図である。
【図９】本発明の第２実施形態に係るグローブ除染用支持具を示す斜視図である。
【図１０】図９のグローブ除染用支持具をアイソレーター装置の作業用グローブに取り付ける状態を示す拡大断面図であり、（Ａ）は取り付ける途中の状態、（Ｂ）は取り付けた後の状態を示している。
【図１１】本発明の第３実施形態に係るグローブ除染用支持具を示す斜視図である。
【図１２】図１１のグローブ除染用支持具をアイソレーター装置の作業用グローブに取り付ける状態を示す拡大断面図であり、（Ａ）は取り付ける途中の状態、（Ｂ）は取り付けた後の状態を示している。
【図１３】本発明の第４実施形態に係るグローブ除染用支持具を示す斜視図である。
【図１４】図１３のグローブ除染用支持具をアイソレーター装置の作業用グローブに取り付ける状態を示す拡大断面図であり、（Ａ）は取り付ける途中の状態、（Ｂ）は取り付けた後の状態を示している。
【図１５】本発明の第５実施形態に係るグローブ除染用支持具を示す斜視図である。
【図１６】図１５のグローブ除染用支持具をアイソレーター装置の作業用グローブに取り付ける状態を示す拡大断面図であり、（Ａ）は取り付ける途中の状態、（Ｂ）は取り付けた後の状態を示している。
【図１７】本発明の第６実施形態に係るグローブ除染用支持具を示す斜視図である。
【図１８】図１７のグローブ除染用支持具をアイソレーター装置の作業用グローブに取り付ける状態を示す拡大断面図であり、（Ａ）は取り付ける途中の状態、（Ｂ）は取り付けた後の状態を示している。
【図１９】作業用グローブを配備したアイソレーター装置の内部に作業用機器が設置されている状態を示す断面概要図である。
【図２０】本発明の第７実施形態において、アイソレーター装置の内部でグローブ除染用支持具を屈曲させた状態を示す断面概要図である。
【図２１】図２０の屈曲させたグローブ除染用支持具に補助拡張部材を配置した状態を示す斜視図である。
【図２２】図２１の屈曲させたグローブ除染用支持具と補助拡張部材により皺を解消した作業用グローブの腕部を示す写真である。
【発明を実施するための形態】
【００３８】
以下、本発明を詳細に説明する。図１は、作業用グローブを配備したアイソレーター装置の正面の概要図である。図２は、当該アイソレーター装置の左側面の断面概要図である。図１及び図２において、アイソレーター装置１０は、床面上に載置される架台１１と、この架台１１の上に乗載される作業室（チャンバー）１２と、このチャンバー１２の右側面の壁部に接合された制御部１３（図１参照）とにより構成されている。
【００３９】
チャンバー１２は、外部環境とは気密的に遮蔽されたステンレススチール製の箱体からなり、吸気用及び排気用のフィルタユニット（図示せず）並びに、チャンバー１２の内部の空気をフィルタユニットで濾過したのち外部に排気するためのブロワー（図示せず）を備えている。
【００４０】
チャンバー１２の正面の壁部には、内部を視認できる透明なガラス窓１４が設けられている（図１参照）。このガラス窓１４は、外部とチャンバー１２の内部とを連通させる２つの円形の作業用開口部１５を有する。これらの作業用開口部１５には、それぞれ作業用グローブを気密的に装着するための取付枠（グローブポート）３０と、装着された合成樹脂製の作業用グローブ２０（図２参照）が取り付けられている。図２においては、便宜的に作業用グローブ２０を水平且つ拡張した状態で示している。
【００４１】
図３は、アイソレーター装置１０のガラス窓１４の作業用開口部１５に取り付けられたグローブポート３０に作業用グローブ２０が装着された状態を示す拡大断面図である。グローブポート３０は、作業用開口部１５に挿入してガラス窓１４に固定された筒体からなり、グローブポート３０の内周側部は、作業者が腕を挿入する挿入部３１を形成する。一方、グローブポート３０のチャンバー１２の内部側（図示左側）の外周側部には、筒体に装着する作業用グローブ２０の基端部（上腕部）２１を２本のオーリング３２で固定するための環状溝３３が設けられている（図３参照）。
【００４２】
このようなアイソレーター装置１０を無菌状態で使用する際には、まず、そのチャンバー１２の内部を過酸化水素ガスなどの除染用ガスで除染する。このとき、グローブポート３０に装着された作業用グローブ２０のチャンバー１２の内部側表面も同時に除染される。ここで、作業用グローブ２０は、上述のように、合成樹脂製などの可撓性材料で構成されており、チャンバー１２の内部での作業性の観点から腕部、掌部及び各指部が柔軟である。
【００４３】
従って、グローブポート３０に装着されたままの作業用グローブ２０は、チャンバー１２の内部側に垂れ下がり、折れ曲がり、皺になり、部分的に重なった状態となる（後述の図６参照）。このように作業用グローブ２０自体の表面どうしが接触した部分では、除染用の過酸化水素ガスが十分に接触できず除染が不十分となる。このような状態を解消するために、チャンバー１２の内部を除染する際には、作業用グローブ２０を支持して除染用の過酸化水素ガスが、その表面に均一に接触できるようにするためのグローブ除染用支持具を使用する。
【００４４】
以下、本発明に係るグローブ除染用支持具について、従来技術と本発明の各実施形態とを詳細に説明する。なお、本発明は、下記の各実施形態にのみ限定されるものではない。
【００４５】
《従来技術》
図４は、従来のグローブ除染用支持具をアイソレーター装置の作業用グローブに取り付けた状態を側面から見た断面図である。図４において、作業用グローブ２０は、上腕部２１、腕部２２、手首部２３、掌部２４、及び、各指部２５から構成されている。上腕部２１及び腕部２２の内周径（直径）は、手首部２３の内周径（直径）よりも大きく、上腕部２１から手首部２３に向かって、その内周径が徐々に小さくなっている。
【００４６】
また、図４において、作業用グローブ２０の内部には、従来のグローブ除染用支持具４０が挿入されている。従来のグローブ除染用支持具４０は、作業用グローブ２０の腕部２２を支持するための腕部支持部材４１及びこの腕部支持部材４１をグローブポート３０に固定するための固定部材４２から構成されている。また、腕部支持部材４１は、１本の主軸４１ａと、腕部２２を拡張するための２つの腕部拡張部材４３とを具備している。
【００４７】
腕部支持部材４１の主軸４１ａは、１本のステンレス製線材からなり、その一方の端部４１ｂを同じくステンレス製線材からなる固定部材４２に溶着され、他方の端部４１ｃを作業用グローブ２０の各指部２５のうちの１本（図４においては、中指部２５ｃ）の先端部まで挿入されている。この状態において、固定部材４２は、ガラス窓１４に固定されたグローブポート３０の内周側部（挿入部３１）に安定的に固定されている。また、腕部支持部材４１は、一方の端部４１ｂを固定部材４２に溶着されて、グローブポート３０に水平状態で安定的に固定されている（図４参照）。
【００４８】
このように、腕部支持部材４１が水平状態で安定的に固定されているので、これに支持された作業用グローブ２０がアイソレーター装置１０のチャンバー１２の内部側に垂れ下がることなく、水平状態で安定的に支持されている。また、腕部支持部材４１の２つの腕部拡張部材４３が作業用グローブ２０の腕部２２を拡張するように支持している。これらのことから、作業用グローブ２０の腕部２２は、折れ曲がったり、皺になったりすることなく支持されている（図４参照）。
【００４９】
しかし、従来のグローブ除染用支持具４０においては、作業用グローブ２０の掌部２４及び各指部２５は、中指部２５ｃに挿入された腕部支持部材４１の他方の端部４１ｂでのみ支持されている。従って、掌部２４が皺になったり、或いは、各指部２５が互いに重なり合ったりして、互いに表面が接触し除染用の過酸化水素ガスが十分に接触できず除染が不十分な部分が発生する。図４においては、各指部２５のうち中指部２５ｃの下方にある薬指部２５ｄ及び小指部２５ｅは互いに接触していないが、中指部２５ｃの上方にある人差指部２５ｂ及び親指部２５ａは互いに接触している。
【００５０】
《第１実施形態》
本第１実施形態に係るグローブ除染用支持具は、指掌部支持部材としての隔壁盤を有して、作業用グローブ２０の掌部２４及び各指部２５を拡開するものである。図５は、本第１実施形態に係るグローブ除染用支持具を示す斜視図である。本第１実施形態に係るグローブ除染用支持具５０は、作業用グローブ２０の腕部２２を支持するための腕部支持部材５１、この腕部支持部材５１をグローブポート３０に固定するための固定部材５２、及び、作業用グローブ２０の掌部２４内部と腕部２２内部との間の手首部２３に隔壁を形成するための隔壁盤５４から構成されている。また、腕部支持部材５１は、１本の主軸５１ａと、腕部２２を拡張するための２つの腕部拡張部材５３を具備している。
【００５１】
また、図５において、腕部支持部材５１の主軸５１ａは、１本のステンレス製線材からなり、その一方の端部５１ｂを同じくステンレス製線材からなる固定部材５２に溶着され、他方の端部５１ｃを隔壁盤５４の盤面中央に固定されている。固定部材５２は、一部に切欠部を有するリング状に形成された２本のバネ部５２ａと、この切欠部の両端部からリングの径内側に向かって設けられた１対の摘み部５２ｂとから構成されている。固定部材５２の作用は後述する。
【００５２】
また、２つの腕部拡張部材５３は、ステンレス製線材からなり、腕部支持部材５１の主軸５１ａの中央位置に略等間隔に設けられ、それぞれ、腕部支持部材５１から等間隔に法線方向に向けて延出する３本の枝軸５３ａとこれらの枝軸５３ａに支持されて主軸５１ａと垂直方向に広がるリング５３ｂとから構成されている。隔壁盤５４は円盤形状をして、その一方の盤面を腕部支持部材５１の先端方向（主軸５１ａの他方の端部５１ｃの延出方向）に向けるようにして、他方の盤面を当該端部５１ｃと垂直に固定されている。隔壁盤５４の作用は後述する。
【００５３】
ここで、本第１実施形態に係るグローブ除染用支持具５０を作業用グローブ２０の内部に挿入する操作について図６〜図８に従って説明すると共に、固定部材５２の作用及び隔壁盤５４の作用について説明する。まず、図６は、グローブ除染用支持具をアイソレーター装置の作業用グローブに取り付ける前の状態を側面から見た断面図である。次に、図７は、グローブ除染用支持具をアイソレーター装置の作業用グローブに取り付ける途中の状態を側面から見た断面図である。更に、図８は、グローブ除染用支持具をアイソレーター装置の作業用グローブに取り付けた後の状態を側面から見た断面図である。
【００５４】
図６において、グローブポート３０に装着されたままの作業用グローブ２０は、チャンバー１２の内部側に垂れ下がり、折れ曲がり、皺になり、部分的に重なった状態（図６の矢印の部分）となっている。一方、グローブ除染用支持具５０の固定部材５２は、上述のように、一部に切欠部を有するリング状に形成された２本のバネ部５２ａと、この切欠部の両端部からリングの径内側に向かって設けられた１対の摘み部５２ｂとから構成されている（図５参照）。バネ部５２ａのリング径（直径）は、作業者が腕を挿入するグローブポート３０の挿入部３１の内周径（直径）より大きく形成されている。固定部材５２は、グローブポート３０の挿入部３１に内側から固定される（後述の図８参照）。
【００５５】
まず、固定部材５２の１対の摘み部５２ｂを挟持してバネ部５２ａのリング径を圧縮して、挿入部３１の内周径よりも小さくする。この状態でグローブ除染用支持具５０をグローブポート３０の挿入部３１を介して隔壁盤５４の方から作業用グローブ２０の腕部２２の内部に挿入する。ここで、隔壁盤５４の外周径（直径）は、グローブポート３０の挿入部３１の内周径（直径）及び作業用グローブ２０の腕部２２の内周径（直径）よりも小さく、且つ、作業用グローブ２０の手首部２３の内周径（直径）よりも大きく形成されている。また、２つの腕部拡張部材５３の外周径（直径）は、グローブポート３０の挿入部３１の内周径（直径）よりも小さく形成されている。
【００５６】
次に、図７において、隔壁盤５４の外周縁部５４ａが作業用グローブ２０の腕部２２の途中の内周部に当接する。この位置が、隔壁盤５４の外周径と作業用グローブ２０の腕部２２の内周径とが一致する位置である。この状態で、作業用グローブ２０の内部は、腕部２２側と掌部２４側とに区画され、隔壁盤５４によって掌部２４及び各指部２５の内部の空気が封じ込められる。
【００５７】
なお、この状態においては、チャンバー１２の内部の空気圧と隔壁盤５４によって区画された掌部２４及び各指部２５の内部の空気圧は等しく、掌部２４及び各指部２５は、垂れ下がり、折れ曲がり、皺になり、部分的に重なった状態のままである（図７参照）。一方、作業用グローブ２０の腕部２２は略水平な状態に支持され、垂れ下がり、折れ曲がり、皺になり、部分的に重なった部分は、ある程度解消されている。
【００５８】
この状態（図７の位置）から更に、グローブ除染用支持具５０を作業用グローブ２０の腕部２２の前方（手首部２３の方向）に挿入する。このとき、隔壁盤５４の外周縁部５４ａは、作業用グローブ２０の腕部２２の内部を拡開しながら手首部２３まで気密的に摺動する。このことは、作業用グローブ２０が合成樹脂製など可撓性材料で構成されていることから容易である。
【００５９】
更に、図８において、隔壁盤５４が作業用グローブ２０の手首部２３まで挿入され、固定部材５２がグローブポート３０の挿入部３１の位置に到達した状態で、挟持していた１対の摘み部５２ｂを開放する。解放されたバネ部５２ａは、そのリング径を元の大きさに復元しようとして拡開し、バネ部５２ａがグローブポート３０の挿入部３１の内周縁部を法線方向外側に向けて押圧する。
【００６０】
この状態（図８の位置）において、グローブ除染用支持具５０は、固定部材５２の作用によりアイソレーター装置１０のガラス窓１４に固定されたグローブポート３０の挿入部３１の内周側部に安定的に固定されている。このことにより、腕部支持部材５１は、一方の端部５１ｂを固定部材５２に溶着されて、グローブポート３０に主軸５１aを水平状態にして安定的に固定されている。
【００６１】
このように、腕部支持部材５１の主軸５１aが水平状態で安定的に固定され、且つ、２つの腕部拡張部材５３が作業用グローブ２０の腕部２２を拡張するように支持している。このことにより、作業用グローブ２０の腕部２２がアイソレーター装置１０のチャンバー１２の内部側に垂れ下がることなく、水平状態で安定的に支持されている。また、作業用グローブ２０の腕部２２は、折れ曲がったり、皺になったりすることなく支持されている（図８参照）。
【００６２】
更に、隔壁盤５４の外周縁部５４ａが作業用グローブ２０の腕部２２内部を手首部２３まで気密的に摺動する結果、最初に隔壁盤５４によって掌部２４及び各指部２５の間に封じ込められた空気（図７の状態）が圧縮される。この圧縮された空気は、アイソレーター装置１０のチャンバー１２の内部の空気圧よりも高くなり、作業用グローブ２０の掌部２４及び各指部２５が膨張する。このことにより、掌部２４及び各指部２５の表面が互いに接触することなく拡がった状態を維持することができる（図８参照）。
【００６３】
以上のことから、本第１実施形態に係るグローブ除染用支持具５０においては、作業用グローブ２０の上腕部２１、腕部２２、及び、手首部２３が適正に除染されることに加え、掌部２４が皺になったり、或いは、各指部２５が互いに重なり合ったりして、互いに表面が接触することなく、除染用の過酸化水素ガスによって作業用グローブ２０の表面全域が隈なく適正に除染される。
【００６４】
《第２実施形態》
本第２実施形態に係るグローブ除染用支持具は、指掌部支持部材として上記第１実施形態の隔壁盤に替えて半球状の隔壁球（以下「隔壁半球」という。）を有して、作業用グローブ２０の掌部２４及び各指部２５を拡開するものである。図９は、本第２実施形態に係るグローブ除染用支持具を示す斜視図である。本第２実施形態に係るグローブ除染用支持具６０は、作業用グローブ２０の腕部２２を支持するための腕部支持部材６１、この腕部支持部材６１をグローブポート３０に固定するための固定部材６２、及び、作業用グローブ２０の掌部２４内部と腕部２２内部との間の手首部２３に隔壁を形成するための隔壁半球６４から構成されている。また、腕部支持部材６１は、１本の主軸６１ａと、腕部２２を拡張するための２つの腕部拡張部材６３を具備している。
【００６５】
また、図９において、腕部支持部材６１の主軸６１ａは、１本のステンレス製線材からなり、その一方の端部６１ｂを同じくステンレス製線材からなる固定部材６２に溶着され、他方の端部６１ｃを隔壁半球６４の平断面中央に固定されている。固定部材６２は、一部に切欠部を有するリング状に形成された２本のバネ部６２ａと、この切欠部の両端部からリングの径内側に向かって設けられた１対の摘み部６２ｂとから構成されている。
【００６６】
また、２つの腕部拡張部材６３は、ステンレス製線材からなり、腕部支持部材６１の主軸６１ａの中央位置に略等間隔に設けられ、それぞれ、腕部支持部材６１から等間隔に法線方向に向けて延出する３本の枝軸６３ａとこれらの枝軸６３ａに支持されて主軸６１ａと垂直方向に広がるリング６３ｂとから構成されている。隔壁半球６４は半球状をして、その球面を腕部支持部材６１の先端方向（主軸６１ａの他方の端部６１ｃの延出方向）に向けるようにして、平断面を当該端部６１ｃと垂直に固定されている。
【００６７】
本第２実施形態に係るグローブ除染用支持具６０を作業用グローブ２０の内部に挿入する操作については、上記第１実施形態と同様である（図６〜図８参照）。また、固定部材６２の作用についても、上記第１実施形態と同様である。ここでは、隔壁半球６４の作用について説明する。
【００６８】
まず、グローブ除染用支持具をアイソレーター装置の作業用グローブに取り付ける前の状態は、上記第１実施形態と同様である（図６参照）。グローブポート３０に装着されたままの作業用グローブ２０は、チャンバー１２の内部側に垂れ下がり、折れ曲がり、皺になり、部分的に重なった状態（図６の矢印の部分）となっている。一方、グローブ除染用支持具６０の固定部材６２は、その構造及び作用について上記第１実施形態と同様であり、ここでは説明を省略する（図５及び図６〜図８参照）。
【００６９】
次に、図１０Ａは、グローブ除染用支持具６０を作業用グローブに取り付ける途中の状態（上記第１実施形態の図７に対応）を示す拡大断面図である。図１０Ａにおいて、隔壁半球６４の外周縁部６４ａが作業用グローブ２０の腕部２２の途中の内周部に当接する。この位置が、隔壁半球６４の外周径と作業用グローブ２０の腕部２２の内周径とが一致する位置である。この状態で、作業用グローブ２０の内部は、腕部２２側と掌部２４側とに区画され、隔壁半球６４によって掌部２４及び各指部２５の内部の空気が封じ込められる。
【００７０】
なお、この状態においては、チャンバー１２の内部の空気圧と隔壁半球６４によって区画された掌部２４及び各指部２５の内部の空気圧は等しく、掌部２４及び各指部２５は、垂れ下がり、折れ曲がり、皺になり、部分的に重なった状態のままである。一方、作業用グローブ２０の腕部２２は、上記第１実施形態と同様に略水平な状態に支持され、垂れ下がり、折れ曲がり、皺になり、部分的に重なった部分は、ある程度解消されている（全体を図示せず）。
【００７１】
この状態（図１０Ａの位置）から更に、グローブ除染用支持具６０を作業用グローブ２０の腕部２２の前方（手首部２３の方向）に挿入する。このとき、隔壁半球６４の外周縁部６４ａは、作業用グローブ２０の腕部２２の内部を拡開しながら手首部２３まで気密的に摺動する。このことは、作業用グローブ２０が合成樹脂製など可撓性材料で構成されていることから容易である。
【００７２】
図１０Ｂは、グローブ除染用支持具６０を作業用グローブに取り付けた後の状態（上記第１実施形態の図８に対応）を示す拡大断面図である。図１０Ｂにおいて、隔壁半球６４が作業用グローブ２０の手首部２３まで挿入され、グローブ除染用支持具６０は、固定部材６２の作用によりアイソレーター装置１０のガラス窓１４に固定されたグローブポート３０の挿入部３１の内周側部に安定的に固定されている（全体を図示せず）。このことにより、腕部支持部材６１は、一方の端部６１ｂを固定部材６２に溶着されて、グローブポート３０に主軸６１aを水平状態にして安定的に固定されている。
【００７３】
このように、腕部支持部材６１の主軸６１aが水平状態で安定的に固定され、且つ、２つの腕部拡張部材６３が作業用グローブ２０の腕部２２を拡張するように支持している（全体を図示せず）。このことにより、作業用グローブ２０の腕部２２がアイソレーター装置１０のチャンバー１２の内部側に垂れ下がることなく、水平状態で安定的に支持されている。また、作業用グローブ２０の腕部２２は、折れ曲がったり、皺になったりすることなく支持されている（全体を図示せず）。
【００７４】
更に、隔壁半球６４の外周縁部６４ａが作業用グローブ２０の腕部２２内部を手首部２３まで気密的に摺動する結果、最初に隔壁半球６４によって掌部２４及び各指部２５の間に封じ込められた空気（図１０Ａの状態）が圧縮される。この圧縮された空気は、アイソレーター装置１０のチャンバー１２の内部の空気圧よりも高くなり、作業用グローブ２０の掌部２４及び各指部２５が膨張する。このことにより、掌部２４及び各指部２５の表面が互いに接触することなく拡がった状態を維持することができる（図１０Ｂ参照）。
【００７５】
以上のことから、本第２実施形態に係るグローブ除染用支持具６０においては、作業用グローブ２０の上腕部２１、腕部２２、及び、手首部２３が適正に除染されることに加え、掌部２４が皺になったり、或いは、各指部２５が互いに重なり合ったりして、互いに表面が接触することなく、除染用の過酸化水素ガスによって作業用グローブ２０の表面全域が隈なく適正に除染される。
【００７６】
《第３実施形態》
本第３実施形態に係るグローブ除染用支持具は、指掌部支持部材として上記第１実施形態の隔壁盤に替えて球状の隔壁球（以下「隔壁球」という。）を有して、作業用グローブ２０の掌部２４及び各指部２５を拡開するものである。図１１は、本第３実施形態に係るグローブ除染用支持具を示す斜視図である。本第３実施形態に係るグローブ除染用支持具７０は、作業用グローブ２０の腕部２２を支持するための腕部支持部材７１、この腕部支持部材７１をグローブポート３０に固定するための固定部材７２、及び、作業用グローブ２０の掌部２４内部と腕部２２内部との間の手首部２３に隔壁を形成するための隔壁球７４から構成されている。また、腕部支持部材７１は、１本の主軸７１ａと、腕部２２を拡張するための２つの腕部拡張部材７３を具備している。
【００７７】
また、図１１において、腕部支持部材７１の主軸７１ａは、１本のステンレス製線材からなり、その一方の端部７１ｂを同じくステンレス製線材からなる固定部材７２に溶着され、他方の端部７１ｃを隔壁球７４に垂直に固定されている。固定部材７２は、一部に切欠部を有するリング状に形成された２本のバネ部７２ａと、この切欠部の両端部からリングの径内側に向かって設けられた１対の摘み部７２ｂとから構成されている。
【００７８】
また、２つの腕部拡張部材７３は、ステンレス製線材からなり、腕部支持部材７１の主軸７１ａの中央位置に略等間隔に設けられ、それぞれ、腕部支持部材７１から等間隔に法線方向に向けて延出する３本の枝軸７３ａとこれらの枝軸７３ａに支持されて主軸７１ａと垂直方向に広がるリング７３ｂとから構成されている。隔壁球７４は球状をして、その球面を腕部支持部材７１の先端方向（主軸７１ａの他方の端部７１ｃの延出方向）に向けるようにして垂直に固定されている。
【００７９】
本第３実施形態に係るグローブ除染用支持具７０を作業用グローブ２０の内部に挿入する操作については、上記第１実施形態と同様である（図６〜図８参照）。また、固定部材７２の作用についても、上記第１実施形態と同様である。ここでは、隔壁球７４の作用について説明する。
【００８０】
まず、グローブ除染用支持具をアイソレーター装置の作業用グローブに取り付ける前の状態は、上記第１実施形態と同様である（図６参照）。グローブポート３０に装着されたままの作業用グローブ２０は、チャンバー１２の内部側に垂れ下がり、折れ曲がり、皺になり、部分的に重なった状態（図６の矢印の部分）となっている。一方、グローブ除染用支持具７０の固定部材７２は、その構造及び作用について上記第１実施形態と同様であり、ここでは説明を省略する（図５及び図６〜図８参照）。
【００８１】
次に、図１２Ａは、グローブ除染用支持具７０を作業用グローブに取り付ける途中の状態（上記第１実施形態の図７に対応）を示す拡大断面図である。図１２Ａにおいて、隔壁球７４の外周縁部７４ａが作業用グローブ２０の腕部２２の途中の内周部に当接する。この位置が、隔壁球７４の外周径と作業用グローブ２０の腕部２２の内周径とが一致する位置である。この状態で、作業用グローブ２０の内部は、腕部２２側と掌部２４側とに区画され、隔壁球７４によって掌部２４及び各指部２５の内部の空気が封じ込められる。
【００８２】
なお、この状態においては、チャンバー１２の内部の空気圧と隔壁球７４によって区画された掌部２４及び各指部２５の内部の空気圧は等しく、掌部２４及び各指部２５は、垂れ下がり、折れ曲がり、皺になり、部分的に重なった状態のままである。一方、作業用グローブ２０の腕部２２は、上記第１実施形態と同様に略水平な状態に支持され、垂れ下がり、折れ曲がり、皺になり、部分的に重なった部分は、ある程度解消されている（全体を図示せず）。
【００８３】
この状態（図１２Ａの位置）から更に、グローブ除染用支持具７０を作業用グローブ２０の腕部２２の前方（手首部２３の方向）に挿入する。このとき、隔壁球７４の外周縁部７４ａは、作業用グローブ２０の腕部２２の内部を拡開しながら手首部２３まで気密的に摺動する。このことは、作業用グローブ２０が合成樹脂製など可撓性材料で構成されていることから容易である。
【００８４】
図１２Ｂは、グローブ除染用支持具７０を作業用グローブに取り付けた後の状態（上記第１実施形態の図８に対応）を示す拡大断面図である。図１２Ｂにおいて、隔壁球７４が作業用グローブ２０の手首部２３まで挿入され、グローブ除染用支持具７０は、固定部材７２の作用によりアイソレーター装置１０のガラス窓１４に固定されたグローブポート３０の挿入部３１の内周側部に安定的に固定されている（全体を図示せず）。このことにより、腕部支持部材７１は、一方の端部７１ｂを固定部材７２に溶着されて、グローブポート３０に主軸７１aを水平状態にして安定的に固定されている。
【００８５】
このように、腕部支持部材７１の主軸７１aが水平状態で安定的に固定され、且つ、２つの腕部拡張部材７３が作業用グローブ２０の腕部２２を拡張するように支持している（全体を図示せず）。このことにより、作業用グローブ２０の腕部２２がアイソレーター装置１０のチャンバー１２の内部側に垂れ下がることなく、水平状態で安定的に支持されている。また、作業用グローブ２０の腕部２２は、折れ曲がったり、皺になったりすることなく支持されている（全体を図示せず）。
【００８６】
更に、隔壁球７４の外周縁部７４ａが作業用グローブ２０の腕部２２内部を手首部２３まで気密的に摺動する結果、最初に隔壁球７４によって掌部２４及び各指部２５の間に封じ込められた空気（図１２Ａの状態）が圧縮される。この圧縮された空気は、アイソレーター装置１０のチャンバー１２の内部の空気圧よりも高くなり、作業用グローブ２０の掌部２４及び各指部２５が膨張する。このことにより、掌部２４及び各指部２５の表面が互いに接触することなく拡がった状態を維持することができる（図１２Ｂ参照）。
【００８７】
以上のことから、本第３実施形態に係るグローブ除染用支持具７０においては、作業用グローブ２０の上腕部２１、腕部２２、及び、手首部２３が適正に除染されることに加え、掌部２４が皺になったり、或いは、各指部２５が互いに重なり合ったりして、互いに表面が接触することなく、除染用の過酸化水素ガスによって作業用グローブ２０の表面全域が隈なく適正に除染される。
【００８８】
《第４実施形態》
本第４実施形態に係るグローブ除染用支持具は、指掌部支持部材として上記第１実施形態の隔壁盤の外周縁部に沿って当該外周縁部から法線方向外側に向かって延出する外縁シールを具備するものである。この外縁シールは、合成樹脂製などの可撓性材料からなるものである。図１３は、本第４実施形態に係るグローブ除染用支持具を示す斜視図である。本第４実施形態に係るグローブ除染用支持具８０は、作業用グローブ２０の腕部２２を支持するための腕部支持部材８１、この腕部支持部材８１をグローブポート３０に固定するための固定部材８２、作業用グローブ２０の掌部２４内部と腕部２２内部との間の手首部２３に隔壁を形成するための隔壁盤８４、及び、この隔壁盤８４の外周縁部８４ａに設けられた外縁シール８４ｂから構成されている。また、腕部支持部材８１は、１本の主軸８１ａと、腕部２２を拡張するための２つの腕部拡張部材８３を具備している。
【００８９】
また、図１３において、腕部支持部材８１の主軸８１ａは、１本のステンレス製線材からなり、その一方の端部８１ｂを同じくステンレス製線材からなる固定部材８２に溶着され、他方の端部８１ｃを隔壁盤８４に垂直に固定されている。固定部材８２は、一部に切欠部を有するリング状に形成された２本のバネ部８２ａと、この切欠部の両端部からリングの径内側に向かって設けられた１対の摘み部８２ｂとから構成されている。
【００９０】
また、２つの腕部拡張部材８３は、ステンレス製線材からなり、腕部支持部材８１の主軸８１ａの中央位置に略等間隔に設けられ、それぞれ、腕部支持部材８１から等間隔に法線方向に向けて延出する３本の枝軸８３ａとこれらの枝軸８３ａに支持されて主軸８１ａと垂直方向に広がるリング８３ｂとから構成されている。隔壁盤５４は円盤形状をして、その一方の盤面を腕部支持部材８１の先端方向（主軸８１ａの他方の端部８１ｃの延出方向）に向けるようにして、他方の盤面を当該端部８１ｃと垂直に固定されている。この隔壁盤８４の外周縁部８４ａには、全周に亘って合成樹脂製の外縁シール８４ｂが設けられている。
【００９１】
本第４実施形態に係るグローブ除染用支持具８０を作業用グローブ２０の内部に挿入する操作については、上記第１実施形態と同様である（図６〜図８参照）。また、固定部材８２の作用についても、上記第１実施形態と同様である。ここでは、隔壁盤８４と外縁シール８４ｂの作用について説明する。
【００９２】
まず、グローブ除染用支持具をアイソレーター装置の作業用グローブに取り付ける前の状態は、上記第１実施形態と同様である（図６参照）。グローブポート３０に装着されたままの作業用グローブ２０は、チャンバー１２の内部側に垂れ下がり、折れ曲がり、皺になり、部分的に重なった状態（図６の矢印の部分）となっている。一方、グローブ除染用支持具８０の固定部材８２は、その構造及び作用について上記第１実施形態と同様であり、ここでは説明を省略する（図５及び図６〜図８参照）。
【００９３】
次に、図１４Ａは、グローブ除染用支持具８０を作業用グローブに取り付ける途中の状態（上記第１実施形態の図７に対応）を示す拡大断面図である。図１４Ａにおいて、隔壁盤８４の外周縁部７４ａに設けられた外縁シール８４ｂが作業用グローブ２０の腕部２２の途中の内周部に当接する。この位置が、隔壁盤８４の外周径と作業用グローブ２０の腕部２２の内周径とが一致する位置である。この状態で、作業用グローブ２０の内部は、腕部２２側と掌部２４側とに区画され、隔壁盤８４によって掌部２４及び各指部２５の内部の空気が封じ込められる。このとき、隔壁盤８４の外周縁部８４ａに設けられた外縁シール８４ｂの作用により、気密状態が向上する。
【００９４】
なお、この状態においては、チャンバー１２の内部の空気圧と隔壁盤８４によって区画された掌部２４及び各指部２５の内部の空気圧は等しく、掌部２４及び各指部２５は、垂れ下がり、折れ曲がり、皺になり、部分的に重なった状態のままである。一方、作業用グローブ２０の腕部２２は、上記第１実施形態と同様に略水平な状態に支持され、垂れ下がり、折れ曲がり、皺になり、部分的に重なった部分は、ある程度解消されている（全体を図示せず）。
【００９５】
この状態（図１４Ａの位置）から更に、グローブ除染用支持具８０を作業用グローブ２０の腕部２２の前方（手首部２３の方向）に挿入する。このとき、隔壁盤８４の外周縁部８４ａは、作業用グローブ２０の腕部２２の内部を拡開しながら外縁シール８４ｂと共に手首部２３まで気密的に摺動する。このことは、作業用グローブ２０が合成樹脂製など可撓性材料で構成されていることから容易である。また、外縁シール８４ｂの作用により、隔壁盤８４の外周縁部８４ａが摺動する際にも良好な気密状態が維持される。
【００９６】
図１４Ｂは、グローブ除染用支持具８０を作業用グローブに取り付けた後の状態（上記第１実施形態の図８に対応）を示す拡大断面図である。図１４Ｂにおいて、隔壁盤８４が作業用グローブ２０の手首部２３まで挿入され、グローブ除染用支持具８０は、固定部材８２の作用によりアイソレーター装置１０のガラス窓１４に固定されたグローブポート３０の挿入部３１の内周側部に安定的に固定されている（全体を図示せず）。このことにより、腕部支持部材８１は、一方の端部８１ｂを固定部材８２に溶着されて、グローブポート３０に主軸８１aを水平状態にして安定的に固定されている。
【００９７】
このように、腕部支持部材８１の主軸８１aが水平状態で安定的に固定され、且つ、２つの腕部拡張部材８３が作業用グローブ２０の腕部２２を拡張するように支持している（全体を図示せず）。このことにより、作業用グローブ２０の腕部２２がアイソレーター装置１０のチャンバー１２の内部側に垂れ下がることなく、水平状態で安定的に支持されている。また、作業用グローブ２０の腕部２２は、折れ曲がったり、皺になったりすることなく支持されている（全体を図示せず）。
【００９８】
更に、隔壁盤８４の外周縁部８４ａが外縁シール８４ｂと共に作業用グローブ２０の腕部２２内部を手首部２３まで気密的に摺動する結果、最初に隔壁盤８４によって掌部２４及び各指部２５の間に封じ込められた空気（図１４Ａの状態）が圧縮される。この圧縮された空気は、アイソレーター装置１０のチャンバー１２の内部の空気圧よりも高くなり、作業用グローブ２０の掌部２４及び各指部２５が膨張する。このことにより、掌部２４及び各指部２５の表面が互いに接触することなく拡がった状態を維持することができる（図１４Ｂ参照）。
【００９９】
以上のことから、本第４実施形態に係るグローブ除染用支持具８０においては、作業用グローブ２０の上腕部２１、腕部２２、及び、手首部２３が適正に除染されることに加え、掌部２４が皺になったり、或いは、各指部２５が互いに重なり合ったりして、互いに表面が接触することなく、除染用の過酸化水素ガスによって作業用グローブ２０の表面全域が隈なく適正に除染される。
【０１００】
《第５実施形態》
本第５実施形態に係るグローブ除染用支持具は、指掌部支持部材として上記第１実施形態〜第４実施形態の隔壁部材（隔壁盤、隔壁半球、隔壁球など）に替えて、作業用グローブの掌部内部に挿入して掌部を拡げた状態に保持する掌部拡開部材を採用するものである。図１５は、本第５実施形態に係るグローブ除染用支持具を示す斜視図である。本第５実施形態に係るグローブ除染用支持具９０は、作業用グローブ２０の腕部２２を支持するための腕部支持部材９１、この腕部支持部材９１をグローブポート３０に固定するための固定部材９２、及び、作業用グローブ２０の掌部２４を拡開して支持するための掌部拡開部材９４から構成されている。なお、掌部拡開部材９４の大きさ（幅）は、作業用グローブ２０の掌部２４の大きさ（幅）より大きく構成されており、掌部２４の内部に挿入されて掌部２４を拡開する。
【０１０１】
図１５において、腕部支持部材９１及び掌部拡開部材９４は、Ｕ字形状に屈曲した１本のステンレス製線材からなり、その両端部９１ａ及び９１ｂは、同じくステンレス製線材からなる固定部材９２に溶着されている。このように、本第５実施形態においては、腕部支持部材９１と掌部拡開部材９４とが一体として成形され、腕部支持部材９１の先端のＵ字形状の屈曲部位が掌部拡開部材９４を構成している。また、腕部支持部材９１の中央部位には、２本のステンレス製線材の間隔を拡げて腕部２２を拡張するための１本の腕部拡張部材９３が具備されている。固定部材９２は、一部に切欠部を有するリング状に形成された２本のバネ部９２ａと、この切欠部の両端部からリングの径内側に向かって設けられた１対の摘み部９２ｂとから構成されている。
【０１０２】
本第５実施形態に係るグローブ除染用支持具９０を作業用グローブ２０の内部に挿入する操作については、上記第１実施形態と同様である（図６〜図８参照）。また、固定部材９２の作用についても、上記第１実施形態と同様である。ここでは、掌部拡開部材９４の作用について説明する。
【０１０３】
まず、グローブ除染用支持具をアイソレーター装置の作業用グローブに取り付ける前の状態は、上記第１実施形態と同様である（図６参照）。グローブポート３０に装着されたままの作業用グローブ２０は、チャンバー１２の内部側に垂れ下がり、折れ曲がり、皺になり、部分的に重なった状態（図６の矢印の部分）となっている。一方、グローブ除染用支持具９０の固定部材９２は、その構造及び作用について上記第１実施形態と同様であり、ここでは説明を省略する（図５及び図６〜図８参照）。
【０１０４】
次に、グローブ除染用支持具をアイソレーター装置の作業用グローブに取り付ける途中の状態を説明する。図１６Ａは、グローブ除染用支持具９０を作業用グローブに取り付ける途中の状態を示す拡大断面図である。図１６Ａにおいて、グローブ除染用支持具９０の先端に位置する掌部拡開部材９４が作業用グローブ２０の手首部２３に当接する。この状態においては、掌部拡開部材９４の幅が掌部２４の幅より大きく掌部２４の内部には挿入されていない。
【０１０５】
なお、この状態においては、掌部２４及び各指部２５は、垂れ下がり、折れ曲がり、皺になり、部分的に重なった状態のままである。一方、作業用グローブ２０の腕部２２は、腕部支持部材９１及び腕部拡張部材９３の作用により略水平な状態に支持され、垂れ下がり、折れ曲がり、皺になり、部分的に重なった部分は、ある程度解消されている（全体を図示せず）。
【０１０６】
この状態（図１６Ａの位置）から更に、グローブ除染用支持具９０を作業用グローブ２０の手首部２３の前方（掌部２４の方向）に挿入する。このとき、掌部拡開部材９４は、作業用グローブ２０の掌部２４の内部を拡開しながら各指部２５の付根まで挿入される。このことは、作業用グローブ２０が合成樹脂製など可撓性材料で構成されていることから容易である。
【０１０７】
図１６Ｂは、グローブ除染用支持具９０を作業用グローブに取り付けた後の状態を示す拡大断面図である。図１６Ｂにおいて、掌部拡開部材９４が作業用グローブ２０の掌部２４に挿入され、グローブ除染用支持具９０は、固定部材９２の作用によりアイソレーター装置１０のガラス窓１４に固定されたグローブポート３０の挿入部３１の内周側部に安定的に固定されている（全体を図示せず）。このことにより、腕部支持部材９１は、両端部９１ａ及び９１ｂを固定部材９２に溶着されて、グローブポート３０から水平方向に安定的に固定されている。
【０１０８】
このように、腕部支持部材９１が水平方向に安定的に固定され、且つ、腕部支持部材９１と腕部拡張部材９３が作業用グローブ２０の腕部２２を拡張するように支持している（全体を図示せず）。このことにより、作業用グローブ２０の腕部２２がアイソレーター装置１０のチャンバー１２の内部側に垂れ下がることなく、水平状態で安定的に支持されている。また、作業用グローブ２０の腕部２２は、折れ曲がったり、皺になったりすることなく支持されている（全体を図示せず）。
【０１０９】
更に、掌部拡開部材９４が作業用グローブ２０の掌部２４に挿入されることにより、掌部２４が掌部拡開部材９４の大きさに合わせて拡開され、掌部２４に接続する各指部２５の付根が掌部拡開部材９４により拡げられた掌部２４と共に間隔を広げて固定された状態となる。このことにより、掌部２４及び各指部２５の表面が互いに接触することなく拡がった状態を維持することができる（図１６Ｂ参照）。
【０１１０】
以上のことから、本第５実施形態に係るグローブ除染用支持具９０においては、作業用グローブ２０の上腕部２１、腕部２２、及び、手首部２３が適正に除染されることに加え、掌部２４が皺になったり、或いは、各指部２５が互いに重なり合ったりして、互いに表面が接触することなく、除染用の過酸化水素ガスによって作業用グローブ２０の表面全域が隈なく適正に除染される。
【０１１１】
《第６実施形態》
本第６実施形態に係るグローブ除染用支持具は、上記第５実施形と同様に指掌部支持部材として掌部拡開部材を採用するものである。図１７は、本第６実施形態に係るグローブ除染用支持具を示す斜視図である。本第６実施形態に係るグローブ除染用支持具１００は、作業用グローブ２０の腕部２２を支持するための腕部支持部材１０１、この腕部支持部材１０１をグローブポート３０に固定するための固定部材１０２、及び、作業用グローブ２０の掌部２４を拡開して支持するための掌部拡開部材１０４から構成されている。なお、掌部拡開部材１０４の大きさ（幅）は、作業用グローブ２０の掌部２４の大きさ（幅）より大きく構成されており、掌部２４の内部に挿入されて掌部２４を拡開する。また、腕部支持部材１０１は、１本の主軸１０１ａと、腕部２２を拡張するための２つの腕部拡張部材１０３を具備している。
【０１１２】
また、図１７において、腕部支持部材１０１の主軸１０１ａは、１本のステンレス製線材からなり、その一方の端部１０１ｂを同じくステンレス製線材からなる固定部材１０２に溶着され、他方の端部１０１ｃを同じくステンレス製線材からなるＤ字形状の掌部拡開部材１０４の直線部中央に固定されている。固定部材１０２は、一部に切欠部を有するリング状に形成された２本のバネ部１０２ａと、この切欠部の両端部からリングの径内側に向かって設けられた１対の摘み部１０２ｂとから構成されている。
【０１１３】
また、２つの腕部拡張部材１０３は、腕部支持部材１０１の主軸１０１ａの中央位置に略等間隔に設けられ、それぞれ、腕部支持部材１０１から等間隔に法線方向に向けて延出する３本の枝軸１０３ａとこれらの枝軸１０３ａに支持されて主軸１０１ａと垂直方向に広がるリング１０３ｂとから構成されている。掌部拡開部材１０４はＤ字形状の屈曲部位を腕部支持部材１０１の先端方向（主軸１０１ａの他方の端部１０１ｃの延出方向）に向けるようにして固定されている。
【０１１４】
本第６実施形態に係るグローブ除染用支持具１００を作業用グローブ２０の内部に挿入する操作については、上記第１実施形態と同様である（図６〜図８参照）。また、固定部材１０２の作用についても、上記第１実施形態と同様である。ここでは、掌部拡開部材１０４の作用について説明する。
【０１１５】
まず、グローブ除染用支持具をアイソレーター装置の作業用グローブに取り付ける前の状態は、上記第１実施形態と同様である（図６参照）。グローブポート３０に装着されたままの作業用グローブ２０は、チャンバー１２の内部側に垂れ下がり、折れ曲がり、皺になり、部分的に重なった状態（図６の矢印の部分）となっている。一方、グローブ除染用支持具１００の固定部材１０２は、その構造及び作用について上記第１実施形態と同様であり、ここでは説明を省略する（図５及び図６〜図８参照）。
【０１１６】
次に、グローブ除染用支持具をアイソレーター装置の作業用グローブに取り付ける途中の状態を説明する。図１８Ａは、グローブ除染用支持具１００を作業用グローブに取り付ける途中の状態を示す拡大断面図である。図１８Ａにおいて、グローブ除染用支持具１００の先端に位置する掌部拡開部材１０４が作業用グローブ２０の手首部２３に当接する。この状態においては、掌部拡開部材１０４の幅が掌部２４の幅より大きく掌部２４の内部には挿入されていない。
【０１１７】
なお、この状態においては、掌部２４及び各指部２５は、垂れ下がり、折れ曲がり、皺になり、部分的に重なった状態のままである。一方、作業用グローブ２０の腕部２２は、腕部支持部材１０１及び腕部拡張部材１０３の作用により略水平な状態に支持され、垂れ下がり、折れ曲がり、皺になり、部分的に重なった部分は、ある程度解消されている（全体を図示せず）。
【０１１８】
この状態（図１８Ａの位置）から更に、グローブ除染用支持具１００を作業用グローブ２０の手首部２３の前方（掌部２４の方向）に挿入する。このとき、掌部拡開部材１０４は、作業用グローブ２０の掌部２４の内部を拡開しながら各指部２５の付根まで挿入される。このことは、作業用グローブ２０が合成樹脂製など可撓性材料で構成されていることから容易である。
【０１１９】
図１８Ｂは、グローブ除染用支持具１００を作業用グローブに取り付けた後の状態を示す拡大断面図である。図１８Ｂにおいて、掌部拡開部材１０４が作業用グローブ２０の掌部２４に挿入され、グローブ除染用支持具１００は、固定部材１０２の作用によりアイソレーター装置１０のガラス窓１４に固定されたグローブポート３０の挿入部３１の内周側部に安定的に固定されている（全体を図示せず）。このことにより、腕部支持部材１０１は、一方の端部１０１ｂを固定部材１０２に溶着されて、グローブポート３０に主軸１０１aを水平状態にして安定的に固定されている。
【０１２０】
このように、腕部支持部材１０１の主軸１０１aが水平状態で安定的に固定され、且つ、２つの腕部拡張部材１０３が作業用グローブ２０の腕部２２を拡張するように支持している（全体を図示せず）。このことにより、作業用グローブ２０の腕部２２がアイソレーター装置１０のチャンバー１２の内部側に垂れ下がることなく、水平状態で安定的に支持されている。また、作業用グローブ２０の腕部２２は、折れ曲がったり、皺になったりすることなく支持されている（全体を図示せず）。
【０１２１】
更に、掌部拡開部材１０４が作業用グローブ２０の掌部２４に挿入されることにより、掌部２４が掌部拡開部材９４の大きさに合わせて拡開され、掌部２４に接続する各指部２５の付根が掌部拡開部材９４により拡げられた掌部２４と共に間隔を広げて固定された状態となる。このことにより、掌部２４及び各指部２５の表面が互いに接触することなく拡がった状態を維持することができる（図１８Ｂ参照）。
【０１２２】
以上のことから、本第６実施形態に係るグローブ除染用支持具１００においては、作業用グローブ２０の上腕部２１、腕部２２、及び、手首部２３が適正に除染されることに加え、掌部２４が皺になったり、或いは、各指部２５が互いに重なり合ったりして、互いに表面が接触することなく、除染用の過酸化水素ガスによって作業用グローブ２０の表面全域が隈なく適正に除染される。
【０１２３】
《第７実施形態》
本第７実施形態においては、上記各実施形態のグローブ除染用支持具を使用してチャンバー内を除染する際に、既にチャンバー内に作業用機器が設置されている場合について説明する。図１９は、作業用グローブを配備したアイソレーター装置の内部に作業用機器が設置されている状態を示す断面概要図である。
【０１２４】
図１９において、作業用グローブ２０は、作業用機器１６を操作するために当該作業用機器１６に接触できる位置にあり、グローブ除染用支持具（図示せず）で作業用グローブ２０を水平状態に固定した場合には、作業用グローブ２０の表面と作業用機器１６の表面とが接触して、除染用の過酸化水素ガスが十分に作用できない部分が生じる。そこで、本第７実施形態においては、作業用グローブ２０を作業用機器１６と接触しない位置に安定して固定するようにする。また、複数の作業用グローブが互いに並行、対向若しくは交差するように設けられ、各作業用グローブが互いに接触する場合も同様である。
【０１２５】
図２０は、本第７実施形態において、アイソレーター装置の内部でグローブ除染用支持具を屈曲させた状態を示す断面概要図である。図２０において、作業用機器１６はチャンバー１２の内部に固定されており移動することはできない。そこで、作業用グローブ２０の内部に挿入したグローブ除染用支持具９０を変形して、作業用グローブ２０の表面が作業用機器１６と接触しない位置に安定に固定する。
【０１２６】
なお、グローブ除染用支持具は、その腕部支持部材を任意の形状に変形（屈曲）できるものであり、且つ、その屈曲状態を保持することができるものであればよい。上記各実施形態のグローブ除染用支持具は、いずれも、ステンレス製線材からなるものであり屈曲可能であり、且つ、その屈曲状態を安定して保持することができる。なお、本第７実施形態においては、上記第５実施形態のグローブ除染用支持具９０を使用した。
【０１２７】
上記各実施形態で説明したように、グローブ除染用支持具は、作業用グローブ２０の上腕部２１、腕部２２、手首部２３、掌部２４、及び、各指部２５を拡げ、互いに接触しないように支持するものである。また、上記各実施形態においては、グローブ除染用支持具の腕部支持部材を水平状態で支持するものであった。これに対して、図２０においては、グローブ除染用支持具９０の腕部支持部材９１をその中央部から上方に屈曲させて、作業用グローブ２０と作業用機器１６との接触を回避している。
【０１２８】
このように、腕部支持部材９１を屈曲させた場合には、この屈曲部位に対応する作業用グローブ２０の腕部２２に皺が生じることがある。この腕部２２に生じた皺の部分には、除染用の過酸化水素ガスが十分に作用できない。そこで、腕部２２に生じた皺を解消するために、グローブ除染用支持具９０に加え補助拡張部材９５を配置する。図２１は、屈曲させたグローブ除染用支持具９０に補助拡張部材９５を配置した状態を示す斜視図である。この補助拡張部材９５は、腕部支持部材９１及び腕部拡張部材９３の幅よりも広く、且つ、作業用グローブ２０の腕部２２の内周径よりも大きな外周径を有している。
【０１２９】
具体的には、まず、予め屈曲させたグローブ除染用支持具９０をグローブポート３０の開口部３１から作業用グローブ２０の内部に挿入し、固定部材９２を介してグローブポート３０の挿入部３１の内周側部に固定する。その後、腕部支持部材９１の屈曲状態を修正して作業用グローブ２０を適正な位置に固定する。この状態で腕部支持部材９１の屈曲部位に対応する作業用グローブ２０の腕部２２に皺が生じているか否かを検査する。腕部２２に皺が生じている場合には、グローブポート３０の開口部３１を介して、作業用グローブ２０の腕部２２の屈曲部位に補助拡張部材９５を挿入し、当該屈曲部位に生じた皺を拡張して解消する。図２２は、屈曲させたグローブ除染用支持具と補助拡張部材により皺を解消した作業用グローブの腕部を示す写真である。
【０１３０】
以上のことから、本第７実施形態においては、チャンバー内に作業用機器が設置されている場合であっても、作業用グローブと作業用機器とを接触させることなく、除染用の過酸化水素ガスによって作業用グローブ２０の表面全域が隈なく適正に除染される。
【０１３１】
上記各実施形態において説明したように、本発明によれば、アイソレーター装置のチャンバー内を除染する際に、チャンバー内に設置された作業用グローブを支持して、その腕部、掌部及び各指部などの接触しやすい部分を拡げて、除染用ガスが作業用グローブの表面全域を隈なく適正に除染することのできるグローブ除染用支持具を提供することができる。
【０１３２】
なお、本発明の実施にあたり、上記各実施形態に限らず、次のような種々の変形例が挙げられる。
（１）上記各実施形態においては、グローブ除染用支持具を構成する各部材の材質としてステンレス製線材を使用するものであるが、これに限定するものではなく、各種素材を使用することができる。また、グローブ除染用支持具を屈曲させて使用する場合には、屈曲可能であり、且つ、その屈曲状態を安定して保持することができる材料であれば、どのような材料を使用してもよい。
（２）上記各実施形態においては、固定用部材として一部に切欠部を有するリング状に形成された２本のバネ部と、この切欠部の両端部からリングの径内側に向かって設けられた１対の摘み摘み部とから構成され、グローブポートに固定できるものを採用するが、これに限定するものではなく、グローブ除染用支持具を安定的に固定できるものであれば、どのような構造であってもよい。
（３）上記各実施形態においては、隔壁部材として隔壁盤、隔壁半球及び隔壁球を採用するが、これに限定するものではなく、作業用グローブの内部を腕部側と掌部側とに気密的に区画できるものであれば、どのような構造のものを使用してもよい。
（４）上記第４実施形態においては、隔壁盤と外縁シールとを組み合わせるものであるが、これに限定するものではなく、隔壁半球、隔壁球或いはその他の隔壁部材に外縁シールを組み合わせるようにしてもよい。
（５）上記第５実施形態においては、腕部支持部材と腕部拡開部材と１本のステンレス製線材から一体成型するものであるが、これに限定するものではなく、それぞれ独立したものを接続するようにしてもよい。
（６）上記第７実施形態においては、グローブ除染用支持具を上方に屈曲させるものであるが、これに限定するものではなく、横或いは下方に屈曲させるようにしてもよい。
【符号の説明】
【０１３３】
１０…アイソレーター装置、１１…架台、１２…チャンバー、１３…制御部、
１４…ガラス窓、１５…作業用開口部、１６…作業用機器、
２０…作業用グローブ、２１…上腕部、２２…腕部、２３…手首部、２４…掌部、
２５…指部、
３０…グローブポート、３１…開口部、３２…オーリング、３３…環状溝、
５０、６０、７０、８０、９０、１００…グローブ除染用支持具、
５１、６１、７１、８１、９１、１０１…腕部支持部材、
５１ａ、６１ａ、７１ａ、８１ａ…主軸、
５２、６２、７２、８２、９２、１０２…固定部材、
５２ａ、６２ａ、７２ａ、８２ａ、９２ａ、１０２ａ…バネ部、
５２ｂ、６２ｂ、７２ｂ、８２ｂ、９２ｂ、１０２ｂ…摘み部、
５３、６３、７３、８３、９３、１０３…腕部拡張部材、
５４、８４…隔壁盤、６４…隔壁半球、７４…隔壁球、９４、１０４…掌部拡開部材、
５４ａ、６４ａ、７４ａ、８４ａ…外周縁部、８４ｂ…外縁シール、
９５…補助拡張部材。
【図１】
0006426431.tif 000002
【図２】
0006426431.tif 000003
【図３】
0006426431.tif 000004
【図４】
0006426431.tif 000005
【図５】
0006426431.tif 000006
【図６】
0006426431.tif 000007
【図７】
0006426431.tif 000008
【図８】
0006426431.tif 000009
【図９】
0006426431.tif 000010
【図１０】
0006426431.tif 000011
【図１１】
0006426431.tif 000012
【図１２】
0006426431.tif 000013
【図１３】
0006426431.tif 000014
【図１４】
0006426431.tif 000015
【図１５】
0006426431.tif 000016
【図１６】
0006426431.tif 000017
【図１７】
0006426431.tif 000018
【図１８】
0006426431.tif 000019
【図１９】
0006426431.tif 000020
【図２０】
0006426431.tif 000021
【図２１】
0006426431.tif 000022
【図２２】
0006426431.tif 000023